(57)【要約】      （修正有）【課題】物品を積載した積載平板部の沈みを無くすことで、緩衝機能の優れた梱包用緩衝材を提供することである。【解決手段】物品Ｚを積載した積載平板部７、積載平板部７の裏面７Ｂに折返される各底平板部８，８、起立された立上げ側平板部１５，１５の裏面１５Ｂに折返される各第１保形側平板部１６，１６、及び折返された各第１保形側平板部１６，１６の裏面１６Ｂに折返される各第２保形側平板部１７，１７を含んで構成される。各底平板部８，８は、基平板の各縦縁端を積載平板部７の裏面７Ｂに当接し、及び基平板の各縦縁端を相互に当接して山形に形成される。各底平板部８，８の山形頂点部分１９，１９と、各第１及び各第２保形側平板部１６，１７の境界線となる各折返部分２０，２０は、積載平板部７，７の裏面７Ｂに平行する同一平面Ｗ上に配置される。【選択図】図１３
2018034874.tif 000002
【特許請求の範囲】
【請求項１】
基礎平板体と、押えシートを備える梱包用緩衝材であって、
前記基礎平板体は、
縦方向の縦中心線と、
前記縦中心線と直交する横方向の横中心線と、
前記横中心線の両側に平行に配置される一対の第１折曲直線と、
前記縦中心線の両側に平行に配置され、前記各第１折曲直線と直交する一対の縦縁端と、を有し、
前記各第１折曲直線及び前記各縦縁端で区画される四角形の基平板と、
前記各第１折曲直線に沿って前記基平板に連設される一対の側平板と、で構成され、
前記基平板は、
前記縦中心線の両側に第１板幅を隔てて平行に配置され、前記各第１折曲直線と直交する一対の第２折曲直線と、
前記各第２折曲直線及び前記基平板の前記各縦縁端の間に配置され、前記各第２折曲直線に第２板幅を隔て、及び前記基平板の前記各縦縁端に第３板幅を隔てて平行に配置され、前記各第１折曲直線と直交する一対の第３折曲直線と、を有し、
前記各第１折曲直線及び前記各第２折曲直線で区画される四角形の積載平板部と、
前記各第２折曲直線に沿って前記積載平板部の裏面に折返され、及び前記各第３折曲直線に沿って折曲げられて山形に形成される一対の底平板部と、で構成され、
前記各側平板は、
前記横方向の一対の縦縁端と、
前記縦方向の横縁端と、
前記各第２折曲直線に対して前記縦中心線側に第１鋭角度をなして配置され、前記各第１折曲直線及び前記各第２折曲直線の第１交点から前記側平板の前記各横縁端まで延在される一対の第４折曲直線と、
前記各第３折曲直線及び前記基平板の前記各縦縁端の間に位置する各第１折曲直線に対して第２鋭角度をなして配置され、前記各第１折曲直線及び前記各第３折曲直線の第２交点から前記側平板の前記各縦縁端まで延在される一対の第５折曲直線と、を有し、
前記各第１折曲直線に沿って前記積載平板部の表面側に折曲げられ、前記積載平板部に起立される立上げ側平板部と、
前記各第１折曲直線、及び前記各第４折曲直線に沿って前記立上げ側平板部の裏面に折返される一対の第１保形側平板部と、
前記各第１折曲直線及び前記各第５折曲直線に沿って前記各第１保形側平板部の裏面に折返される一対の第２保形側平板部と、で構成され
前記押えシートは、
前記基平板の表面に積層され、前記横方向の各シート縦縁端側を前記基平板の各縦縁端側に固定してなり、
前記積載平板部の表面に積載された物品を被覆し、前記各第２折曲直線に沿った前記各底平板部の折返しにより、緊張して前記物品を前記積載平板部に定着し、
前記各底平板は、
前記基平板の前記各縦縁端を前記積載平板部の裏面に当接し、及び前記基平板の前記各縦縁端を相互に当接して、山形に形成され、
山形に形成された前記各底平板部の前記第３折曲直線と、前記各第１及び各第２保形側平板部の境界線となる前記各第５折曲直線は、
前記積載平板部の裏面と平行する同一平面上に配置される
ことを特徴とする梱包用緩衝材。
【発明の詳細な説明】
【技術分野】
【０００１】
本発明は、物品（商品）を梱包して運搬（運送）する梱包用緩衝材に関する。
【背景技術】
【０００２】
梱包用緩衝材として、特許文献１は、物品運送用梱包具を開示する。物品運送用梱包具は、ベースボード、一対の立下り部分、一対の立上り部分、及び抑えシートを備える。各立下り部分は、ベースボードの両端縁に連設され、脚部及び底部分を有する。各立上り部分は、ベースボードの両側縁に連設される。抑えシートは、ベースボードの表面に積層され、立下り部分の両端縁に固定される。
物品運送用梱包具では、物品をベースボード及び抑えシートの間に配置して、ベースボード上に積載する。物品運送用梱包具では、各立上り部分をベースボードの両側縁から上向きに折返して、保形部分を起立する。また、各立下げ部分を両端縁から下向きに折り返して、脚部をベースボードに対して直角姿勢に保形し、及び底部分を平行方向に保形する。抑えシートは、立下り部分の折返しにより、緊張して物品をベースボードに定着する。
物品を梱包した物品運送用梱包具は、各底部分から外箱内に収納され、ベースボード下面には各脚部分の立上り高さの空間を形成する。
特許文献１では、各脚部の立上り高さの空間により、物品の運送（運搬）中の衝撃を吸収している（緩衝機能）。
【先行技術文献】
【特許文献】
【０００３】
【特許文献１】特開２００６−２４８５４９号公報
【発明の概要】
【発明が解決しようとする課題】
【０００４】
しかし、特許文献１では、物品を積載したベースボードは、ベースボードの両縁端の立下り部分（脚部分及び底部分）で支持しているので、物品の重量が重くなると、物品と共にベースボードが沈んで外箱の底に接触し、緩衝機能を低下させる虞がある。
【０００５】
本発明は、物品を積載した積載平板部の沈みを無くすことで、緩衝機能の優れた梱包用緩衝材を提供することにある。
【課題を解決するための手段】
【０００６】
発明に係る請求項１は、基礎平板体と、押えシートを備える梱包用緩衝材であって、前記基礎平板体は、縦方向の縦中心線と、前記縦中心線と直交する横方向の横中心線と、前記横中心線の両側に平行に配置される一対の第１折曲直線と、前記縦中心線の両側に平行に配置され、前記各第１折曲直線と直交する一対の縦縁端と、を有し、前記各第１折曲直線及び前記各縦縁端で区画される四角形の基平板と、前記各第１折曲直線に沿って前記基平板に連設される一対の側平板と、で構成され、前記基平板は、前記縦中心線の両側に第１板幅を隔てて平行に配置され、前記各第１折曲直線と直交する一対の第２折曲直線と、前記各第２折曲直線及び前記基平板の前記各縦縁端の間に配置され、前記各第２折曲直線に第２板幅を隔てて、及び前記基平板の前記各縦縁端に第３板幅を隔てて平行に配置され、前記各第１折曲直線と直交する一対の第３折曲直線と、を有し、前記各第１折曲直線及び前記各第２折曲直線で区画される積載平板部と、前記各第２折曲直線に沿って前記積載平板部の裏面に折返され、及び前記各第３折曲直線に沿って折曲げられて山形に形成される一対の底平板部と、で構成され、前記各側平板は、前記横方向の一対の縦縁端と、前記縦方向の横縁端と、前記各第２折曲直線に対して前記縦中心線側に第１鋭角度をなして配置され、前記各第１折曲直線及び前記各第２折曲直線の第１交点から前記側平板の前記各横縁端まで延在される一対の第４折曲直線と、前記各第３折曲直線及び前記基平板の前記各縦縁端の間に位置する各第１折曲直線に対して第２鋭角度をなして配置され、前記各第１折曲直線及び前記各第３折曲直線の第２交点から前記側平板の前記各縦縁端まで延在される一対の第５折曲直線と、を有し、前記各第１折曲直線に沿って前記積載平板部の表面側に折曲げられ、前記積載平板部に起立される立上げ側平板部と、前記各第１折曲直線、及び第４折曲直線に沿って前記立上げ側平板部の裏面に折返される一対の第１保形側平板部と、前記各第１折曲直線及び前記各第５折曲直線に沿って前記各第１保形側平板部の裏面に折返される一対の第２保形側平板部と、で構成され、前記押えシートは、前記基平板の表面に積層され、前記横方向のシート縦縁端側を前記基平板の各縦縁端側に固定してなり、前記積載平板部の表面に積載された物品を被覆し、前記各第２折曲直線に沿った前記各底平板の折返しにより、緊張して前記物品を前記積載平板部に定着し、前記各底平板部は、前記基平板部の前記各縦縁端を前記積載平板部の裏面に当接して、及び前記基平板の前記各縦縁端を相互に当接して、山形に形成され、山形に形成された前記各底平板部の前記各第３折曲直線と、前記各第１及び各第２保形側平板部の境界線となる前記各第５折曲直線は、前記積載平板部の裏面と平行する同一平面上に配置されることを特徴とする梱包用緩衝材である。
【発明の効果】
【０００７】
本発明に係る請求項１によれば、横方向に連続し、基平板（各底平板部）の各横縁端を積載平板部の裏面に当接し、及び基平板の各横縁端を相互に当接した山形（山形状）の底平板部の各第３折曲直線である各山形頂点部分と、各第１及び各第２保形側平板部の境界線となる第５折曲直線の各折返部分により、積載平板部の表面に積載した物品（商品）を支持するので、物品（商品）の重量により積載平板部が沈まない。
これにより、物品（商品）を梱包した梱包用緩衝材を、梱包箱に収納して、運送（運搬）しても、物品（商品）の重量により、積載平板部が梱包箱の底に接触しないので、緩衝機能に優れたものとなる。
【図面の簡単な説明】
【０００８】
【図１】梱包用緩衝材を展開した状態であって、基礎平板体及び押えシートを示す展開斜視図である。
【図２】梱包用緩衝材を展開した状態であって、基礎平板体を示す展開表面図である。
【図３】梱包用緩衝材を展開した状態であって、基礎平板体及び押えシートを示す展開裏面図である。
【図４】梱包用緩衝材において、各側平板の第４及び第５折曲直線と、横縁端を示す図２の一部拡大図である。
【図５】梱包用緩衝材において、各側平板の横縁端、及び折曲用穴を示す図２の一部拡大図である。
【図６】梱包用緩衝材を展開した状態であって、基礎平板体及び押えシートを示す展開平面図である。
【図７】梱包用緩衝材を展開した状態であって、基礎平板体及び押えシートを示す展開側面図である。
【図８】（ａ）は、図２のＡ−Ａ断面図、（ｂ）は、図８（ａ）のＤ−Ｄ矢視拡大断面図である。
【図９】（ａ）は、図２のＢ−Ｂ断面図、（ｂ）は、図９（ａ）のＥ−Ｅ矢視拡大断面図である。
【図１０】（ａ）は、図２のＣ−Ｃ断面図、（ｂ）は、図１０（ａ）のＦ−Ｆ矢視拡大断面図である。
【図１１】梱包用緩衝材の組立て（物品の梱包）を説明する図であって、各底平板を各第１折曲直線に沿って積載平板部の表面側に折曲げ、及び各側平板の各第１保形側平板部を各第４折曲直線に沿って積載平板部の表面側に折曲げた斜視図である。
【図１２】梱包用緩衝材の組立て（物品の梱包）を説明する図であって、各底平板部を各第２折曲直線に沿って積載平板部の裏面に折返し、及び各側平板の各第１保形側平板部を各第４折曲直線に沿って立上げ側平板部の裏面に折返した斜視図である。
【図１３】梱包用緩衝材の組立て（物品の梱包）を説明する図であって、各側平板の立上げ側平板部、各第１保形側平板部、及び各第２保形側平板部を各第１折曲直線に沿って積載平板部の表面側に折曲げて、積載平板部に起立した斜視図である。
【図１４】物品を梱包した梱包用緩衝材であって、各底平板部、各側平板の立上げ側平板部、各第１保形側平板部、及び各第２保形側平板部を示す側面図である。
【図１５】物品を梱包した梱包用緩衝材であって、各底平板部、各側平板の立上げ側平板部、各第１保形側平板部、及び各第２保形側平板部を示す正面図である。
【図１６】図１４のＧ−Ｇ断面図である。
【図１７】図１５のＨ−Ｈ断面図である。
【図１８】図１７の一部拡大図である。
【図１９】物品を梱包した梱包用緩衝材、及び梱包箱を示す斜視図である。
【図２０】物品を梱包した梱包用緩衝材を梱包箱内に収納した上面図である。
【図２１】図２０のＩ−Ｉ断面図である。
【発明を実施するための形態】
【０００９】
本発明に係る梱包用緩衝材について、図１乃至図２１を参照して説明する。
なお、説明の便宜上、先ず、組立前の展開した梱包用緩衝材について説明し、次に、梱包用緩衝材を組立てて物品（商品）を梱包する要領について説明する。
【００１０】
図１乃至図１０において、梱包用緩衝材Ｘは、基礎平板体１、及び押えシート２（押えフィルム）を備える。
【００１１】
＜基礎平板体１＞
基礎平板体１は、折曲自在な紙、合成樹脂等のシート素材（シート材）、例えば、段ボール（紙製段ボールシート）、プラスチック段ボールシート等から形成される。
基礎平板体１は、図１乃至図３に示すように、縦方向Ｖの縦中心線ａ、縦中心線ａと直交する横方向Ｙの横中心線ｂ、複数（一対）の第１折曲直線Ｌ１，Ｌ１、及び複数（一対）の縦縁端３，３（縦縁端面）を有する。
基礎平板体１は、図１乃至図３に示すように、例えば、横中心線ｂを対称軸として、線対称な形状に形成される。
【００１２】
各第１折曲直線Ｌ１，Ｌ１は、図１乃至図４に示すように、横中心線ｂの両側に配置される。各第１折曲直線Ｌ１，Ｌ１は、縦方向Ｖにおいて、横中心線ｂに板長Ｔ１を隔てて平行に配置される。各第１折曲直線Ｌ１，Ｌ１は、横方向Ｙにおいて、各縦縁端３，３の間に延在される。
【００１３】
各縦縁端３，３（縦縁端面）は、図１乃至図４に示すように、横方向Ｙにおいて、縦中心線ａの両側に配置される。各縦縁端３，３は、横方向Ｙにおいて、縦中心線ａに第４板幅Ｈ４を隔てて平行に配置される。各縦縁端３，３は、縦方向Ｖに延在され、各第１折曲直線Ｌ１，Ｌ１と直交する。
【００１４】
基礎平板体１は、図１乃至図１０に示すように、四角形（正方形、矩形）の基平板５、及び複数（一対）の側平板６，６で構成される（基礎平板体１は、基平板５及び各側平板６，６を備える）。
基平板５は、図１乃至図３に示すように、各第１折曲直線Ｌ１，Ｌ１及び各縦縁端３，３（縦縁端面）で区画される。
各側平板６，６は、図１乃至図３、及び図７乃至図９に示すように、縦方向Ｖにおいて、基平板５の両側に配置される。各側平板６，６は、各第１折曲直線Ｌ１，Ｌ１に沿って基平板５に連設される。
基礎平板体１において、各第１折曲直線Ｌ１，Ｌ１は、基平板５及び各側平板６，６の境界線となる。
【００１５】
＜基平板５＞
基平板５は、図１乃至図４に示すように、複数（一対）の第２折曲直線Ｌ２，Ｌ２、及び複数（一対）の第３折曲直線Ｌ３，Ｌ３を有する。
【００１６】
各第２折曲直線Ｌ２，Ｌ２は、図１乃至図４に示すように、横方向Ｙにおいて、縦中心線ｂの両側に配置される。各第２折曲直線Ｌ２，Ｌ２は、横方向Ｙにおいて、縦中心線ｂに第１板幅Ｈ１を隔てて平行に配置される。第２折曲直線Ｌ２，Ｌ２は、図１乃至図４に示すように、縦方向Ｖに延在され、各第１折曲直線Ｌ１，Ｌ１と直交する。
【００１７】
各第３折曲直線Ｌ３，Ｌ３は、図１乃至図４に示すように、各第２折曲直線Ｌ２，Ｌ２及び基平板５の各縦縁端３，３の間に配置される。各第３折曲直線Ｌ３，Ｌ３は、横方向Ｙにおいて、隣設する第２折曲直線Ｌ２に第２板幅Ｈ２を隔てて、及び隣設する基平板５の各縦縁端３，３に第３板幅Ｈ３を隔てて平行に配置される。各第３折曲直線Ｌ３，Ｌ３は、図１乃至図４に示すように、縦方向Ｖに延在され、各第１折曲直線Ｌ１，Ｌ１と直交する。
【００１８】
基平板５は、図１乃至図４、及び図７乃至図１０に示すように、四角形の積載平板部７、及び複数（一対）の底平板部８，８で構成される（基平板５は、積載平板部７及び各底平板部８，８を備える）。
【００１９】
積載平板部７は、図１乃至図３に示すように、各第１折曲直線Ｌ１，Ｌ１及び各第２折曲直線Ｌ２，Ｌ２で四角形（矩形）に区画される。
【００２０】
各底平板部８，８は、図乃至図３、及び図１０に示すように、横方向Ｙにおいて、積載平板部７の両側に配置される。各底平板部８，８は、各第１折曲直線Ｌ１，Ｌ１、各第２折曲直線Ｌ２，Ｌ２及び基平板５の各縦縁端３，３で四角形（矩形）に区画される。各底平板部８，８は、各縦縁端３，３（縦縁端面）を有して、各第２折曲直線Ｌ２，Ｌ２に沿って積載平板部７に連設される。
【００２１】
基平板５において、各第２折曲直線Ｌ２，Ｌ２は、積載平板部７及び各底平板部８，８の境界線となる。
なお、基礎平板体１において、第４板幅Ｈ４は、第1乃至第３板幅Ｈ１，Ｈ２，Ｈ３を積算した板幅Ｈ４＝Ｈ１＋Ｈ２＋Ｈ３となる。
【００２２】
＜側平板６，６＞
各側平板６，６は、図１乃至図４に示すように、横方向Ｙの複数（一対）の縦縁端９，９（縦縁端面）、縦方向Ｖの横縁端１０（横縁端面）、複数（一対）の第４折曲直線Ｌ４，Ｌ４（縦折曲傾斜直線）、及び複数（一対）の第５折曲直線Ｌ５，Ｌ５（横折曲傾斜直線）を有する。
【００２３】
各側平板６，６において、各縦縁端９，９は、図４に示すように、第１折曲直線Ｌ１及び基平板５（各底平板部８，８）の各縦縁端３，３の第３交点Ｐ３，Ｐ３で交差する。
各縦縁端９，９は、図４に示すように、基平板５の各縦縁端３，３（縦縁端面）に対して、縦中心線ａ側（側平板の内側）に第３鋭角度θ３をなして配置される。各縦縁端９，９は、横方向Ｙにおいて、縦中心線ａ（第３折曲直線Ｌ３）に向けて傾斜しつつ、各第３交点Ｐ３，Ｐ３から縦方向Ｖに延在される。
これにより、各縦縁端９，９（縦縁端面）は、基平板５の各縦縁端３，３に連設（連続）される。
【００２４】
各側平板６，６において、横縁端１０は、図１乃至図５に示すように、各縦縁端９，９の間に位置して、各縦縁端９，９に連設（連続）される。
横縁端１０（横縁端面）は、図２、図４及び図５に示すように、複数（一対）の第１傾斜横縁端１０Ａ，１０Ａ（第１傾斜横縁端面）、平行横縁端１０Ｂ（平行横縁端面）、及び複数（一対）の第２傾斜横縁端１０Ｃ，１０Ｃ（第２傾斜横縁端面）を有する。
【００２５】
各第１傾斜横縁端１０Ａ，１０Ａは、図２、図４乃至図６に示すように、各側平板６，６の各縦縁端９，９に交差して連設（連続）される。
各第１傾斜横縁端１０Ａ，１０Ａは、図４に示すように、横中心線ｂ（第１折曲直線Ｌ１）に平行して、各縦縁端９，９及び各第１傾斜横縁端１０Ａ，１０Ａの第４交点Ｐ４，Ｐ４を通る基準直線Ｌ６に対して、横中心線ｂ（第１折曲直線Ｌ１）側（基平板５側）に第４鋭角度θ４をなして配置される。各第１傾斜横縁端１０Ａ，１０Ａは、縦方向Ｖにおいて、横中心線ｂ（第１折曲直線Ｌ１）に向けて傾斜しつつ、各第４交点Ｐ４，Ｐ４から横方向Ｙに延在される。
【００２６】
平行横縁端１０Ｂは、図２、及び図４乃至図６に示すように、各第１傾斜横縁端１０Ａ，１０Ａの間に配置される。平行横縁端１０Ｂは、縦方向Ｖにおいて、第１折曲線Ｌ１に間隔を隔てて平行に配置される。平行横縁端１０Ｂは、横方向Ｙにおいて、縦中心線ａの両側に端長Ｍ１を有して延在される。
【００２７】
各第２傾斜横縁端１０Ｃ，１０Ｃは、図２、図４乃至図６に示すように、各第１傾斜横縁端１０Ａ，１０Ａ及び平行横縁端１０Ｂの間に夫々配置される。各第２傾斜横縁端１０Ｃ，１０Ｃは、隣設する各第１傾斜横縁端１０Ａ，１０Ａ及び平行横縁端１０Ｂに交差して、各第１傾斜横縁端１０Ａ，１０Ａ及び平行横縁端１０Ｂに連設（連続）される。
各第２傾斜横縁端１０Ｃ，１０Ｃは、平行横縁端１０Ｂに対して、横中心線ｂ側（第１折曲直線Ｌ１側）に第５鋭角度θ５をなして配置される。
各第２傾斜横縁端１０Ｃ，１０Ｃは、縦方向Ｖにおいて、横中心線ｂ（第１折曲直線Ｌ１）に向けて傾斜しつつ、各第２傾斜横縁端１０Ｃ，１０Ｃ及び平行横縁端１０Ｂの第５交点Ｐ５，Ｐ５から横方向Ｙに延在され、及び各第１傾斜横縁端１０Ａ，１０Ａに交差する。
これにより、各側平板６，６において、各縦縁端９，９、及び横縁端１０（各第１傾斜横縁端１０Ａ，１０Ａ、平行横縁端１０Ｂ及び各第２傾斜横縁端１０Ｃ，１０Ｃ）は、連設（連続）される。また、各側平板６，６の各縦縁端９，９、横縁端１０及び基平板５の各縦縁端３，３は、基礎平板体１の外縁端（外縁端面）となる。
【００２８】
各側平板６，６において、各第４折曲直線Ｌ４，Ｌ４（縦折曲傾斜直線）は、図４に示すように、各第２折曲直線Ｌ２，Ｌ２に対して、縦中心線ａ側に第１鋭角度θ１をなして配置される。各第４折曲直線Ｌ４，Ｌ４は、横方向Ｙにおいて、縦中心線ａに向けて傾斜しつつ、第１折曲直線Ｌ１及び各第２折曲直線Ｌ２，Ｌ２の第１交点Ｐ１，Ｐ１から各側平板６，６の横縁端１０まで延在される。
各第４折曲直線Ｌ４，Ｌ４は、各第５交点Ｐ５において、各側平板６，６の横縁端１０（平行横縁端１０Ｂ、各第２傾斜横縁端１０Ｃ，１０Ｃ）に交差する。
【００２９】
各側平板６，６において、各第５折曲直線Ｌ５，Ｌ５（横折曲傾斜直線）は、図４に示すように、基平板５の各縦縁端３，３及び各第２折曲直線Ｌ２，Ｌ２の間に位置する各第１折曲直線Ｌ１に対して、第２鋭角度θ２をなして配置される。
各第５折曲直線Ｌ５，Ｌ５は、図４に示すように、縦方向Ｖにおいて、横中心線ｂ（第１折曲直線Ｌ１）から離間しつつ傾斜される。
各第５折曲直線Ｌ５，Ｌ５は、各第４折曲直線Ｌ４，Ｌ４と交差しない横方向Ｙにおいて、各第１折曲直線Ｌ１，Ｌ１及び各第３折曲直線Ｌ３，Ｌ３の第２交点Ｐ２，Ｐ２から各側平板６，６の各縦縁端９，９まで延在され、及び各縦縁端９，９に交差する。
【００３０】
各側平板６，６は、図１乃至図１０に示すように、立上げ側平板部１５、複数（一対）の第１保形側平板部１６，１６、及び複数（一対）の第２保形側平板部１７，１７で構成される（各側平板６，６は、立上げ側平板部１５、各第１保形側平板部１６，１６及び各第２保形側平板部１７，１７を備える）。
【００３１】
立上げ側平板部１５は、図１乃至図４に示すように、第１折曲直線Ｌ１、各第４折曲直線Ｌ４，Ｌ４及び側平板６の横縁端１０（平行横縁端１０Ｂ）で区画される。
【００３２】
各第１保形側平板部１６，１６は、図１乃至図４に示すように、第１折曲直線Ｌ１、各第４折曲直線Ｌ４，Ｌ４、各第５折曲直線Ｌ５，Ｌ５、各側平板６，６の縦縁端９，９及び各側平板６，６の横縁端１０（各第１及び各第２傾斜横縁端１０Ａ，１０Ｂ）で区画される。
各第１保形側平板部１６，１６は、図１乃至図４、及び図６に示すように、横方向Ｖにおいて、立上げ側平板部１５の両側に配置され、各第４折曲直線Ｌ４，Ｌ４に沿って立上げ側平板部１５に連設される。
各第１保形側平板部１６，１６は、図４に示すように、各第１交点Ｐ１，Ｐ１及び各第２交点Ｐ２，Ｐ２の間（各第２及び各第３折曲直線の間）に位置する第１折曲直線Ｌ１に沿って基平板５（各底平板部８，８）に連設される。
【００３３】
各第２保形側平板部１７，１７は、図１乃至図４に示すように、各第２交点Ｐ２，Ｐ２及び各第３交点Ｐ３，Ｐ３の間（各第３折曲直線Ｌ３，Ｌ３及び基平板５の各縦縁端３，３の間）に位置する第１折曲直線Ｌ１、各第５折曲直線Ｌ５，Ｌ５及び側平板６の各縦縁端９，９で区画される。
各第２保形側平板部１７，１７は、図１乃至図４、及び図７に示すように、各第１保形側平板部１６，１６及び基平板５（各底平板部８，８）の間に配置される。
各第２保形側平板部１７，１７は、各第５折曲直線Ｌ５，Ｌ５に沿って各第１保形側平板部１６，１６に連設される。
各第２保形側平板部１７，１７は、図４に示すように、各第２交点Ｐ２，Ｐ２及び各第３交点Ｐ３，Ｐ３の間（各第３折曲直線Ｌ３，Ｌ３及び基平板５の各縦縁端３，３の間）に位置する第１折曲直線Ｌ１に沿って基平板５（各底平板部８，８）に連設される。
【００３４】
各側平板６，６において、各第４折曲直線Ｌ４，Ｌ４は、立上げ側平板部１５及び各第１保形側平板部１６，１６の境界線となる。
各側平板６，６において、各第５折曲直線Ｌ５，Ｌ５は、各第１保形側平板部１６，１６及び各第２保形側平板部１７，１７の境界線となる。
【００３５】
各側平板６，６は、図１乃至図５、及び図９に示すように、複数（一対）の折曲用穴１８，１８を有する。
各折曲用穴１８，１８は、例えば、各第１保形側平板１６，１６、及び各第２保形側平板部１７，１７に形成される。各折曲用穴１８，１８は、各第１保形側平板部１６，１６及び第２保形側平板部１７，１７を貫通して、各側平板６，６の表面６Ａ及び裏面６Ｂに開口される。
【００３６】
各折曲用穴１８，１８は、図５及び図９に示すように、第１〜第４穴縁直線Ｎ１〜Ｎ４に沿って形成される。
第１穴縁直線Ｎ１（横穴縁傾斜直線）は、図５及び図９に示すように、横方向Ｙに延在され、第４折曲直線Ｌ４及び第５折曲直線Ｌ５に交差する。
第２穴縁直線Ｎ２は、図５に示すように、第３折曲直線Ｌ３（縦中心線ａ）に平行に配置される。第１穴縁直線Ｎ２は、第１穴縁直線Ｎ１及び第５折曲直線Ｌ５の第１穴交点Ｑ１から縦方向Ｖに延在され、第３折曲直線Ｌ３及び基平板５の縦縁端３の間に位置する第１折曲直線Ｌ１に交差する。
第３穴縁直線Ｎ３は、図５に示すように、第２穴縁直線Ｎ２及び第１折曲直線Ｌ１の第２穴交点Ｑ２と、第１交点Ｐ１の間に位置する第１折曲直線Ｌ１でなる。
第４穴縁直線Ｎ４は、図５に示すように、第１穴縁直線Ｎ１及び第４折曲直線Ｌ４の第３穴交点Ｑ３と、第１交点Ｐ１の間に位置する第４折曲直線Ｌ４でなる。
【００３７】
各側平板６，６において、各折曲用穴１８，１８は、第１及び第４折曲直線Ｌ１，Ｌ４（第３及び第４穴縁直線Ｎ３，Ｎ４）に沿って、各第１保形側平板部１６，１６及び各第２保形側平板部１７，１７に形成される。
【００３８】
＜押えシート２＞
押えシート２（押えフィルム）は、図１、図２、及び図４乃至図１０に示すように、基平板５（積載平板部７及び各底平板部８，８）の表面５Ａに積層される。押えシート２は、例えば、基平板５と同形の四角形（矩形）に形成され、基平板５において、全ての表面５Ａを覆って配置される。
これにより、押えシート２は、図１、図２及び図１０に示すように、積載平板部７の表面７Ａ、及び各底平板部８，８の表面８Ａに配置される。
【００３９】
押えシート２は、図１、図２、図４、図７及び図９に示すように、横方向Ｙの各シート縦縁端側２Ａ，２Ａを基平板５（各底平板部８，８）の縦縁端側３Ａ，３Ａに固定する。
押えシート２において、各シート縦縁端側２Ａ，２Ａは、縦方向Ｖにわたって、基平板５（各底平板部８，８）の各縦縁端側３Ａ，３Ａに固定される。
これにより、押えシート２は、横方向Ｙの各シート横縁端側２Ａ，２Ａを閉塞し、縦方向Ｖの各シート横縁端２Ｂ，２Ｂを開放する。
【００４０】
押えシート２は、伸縮性（可撓性）を有するシート材（フィルム材）で形成される。押えシート２は、例えば、ポリウレタン系熱可塑性樹脂を原料とする透明フィルムを使用する（フィルム厚さは、１０〜３００μｍ）。
押えシート２において、ポリウレタン系熱可塑性樹脂を原料とする透明フィルムを使用すると、ヒートシール（熱圧着）により、各シート縦縁端側２Ａ，２Ａを基平板５の各縦縁端側３Ａ，３Ａに固着（固定）できる。
【００４１】
梱包用緩衝材Ｘにおいて、第２板幅Ｈ２及び第２板幅Ｈ３は、同一の板幅Ｈ２＝Ｈ３を有する。
梱包用緩衝材Ｘにおいて、第２板幅Ｈ２及び第３板幅Ｈ３を積算した板幅Ｈ５＝Ｈ２＋Ｈ３は、第１板幅Ｈ１より大きい板幅Ｈ５＞Ｈ１（広い板幅）にされる。
【００４２】
梱包用緩衝材Ｘにおいて、第１鋭角度θ１は、第２鋭角度θ２の半分の角度［θ１＝（１／２）×θ２］にされる。例えば、第２鋭角度θ２＝３４度（３４°）、及び第１鋭角度θ１＝１７度（１７°）とし、第２鋭角度θ２＝３６．９度（３６．９°）、及び第１鋭角度θ１＝１８．４度（１８．４°）とする。
【００４３】
梱包用緩衝材Ｘにおいて、第３鋭角度θ３と、第２鋭角度θ２及び第１鋭角度θ１との関係は、例えば、第３鋭角度θ３を第２鋭角度θ２と同一角度、及び第１鋭角度θ１の半分の角度とする［θ３＝θ２＝（１／２）×θ１］。
梱包用緩衝材Ｘにおいて、第４鋭角度θ１と第１鋭角度θ１との関係は、例えば、第４鋭角度θ４を第１鋭角度θ１の２倍の角度（θ４＝２×θ１）とする。
梱包用緩衝材Ｘにおいて、第５鋭角度θ５と、第１鋭角度θ１との関係は、例えば、任意の角度θ６とすると、第５鋭角度θ５は、θ５＝θ６−２×θ１とする。例えば、第１鋭角度θ１＝１７度（第２鋭角度θ２＝３４度となる）、及び任意の角度θ６＝４５度（４５°）とすると、第５鋭角度θ５＝４５度−２×（１７度）＝１１度（１１°）となる。
【００４４】
なお、梱包用緩衝材Ｘにおいて、鋭角度θ（θ１〜θ５）とは、０度を超え９０度未満（０°＜θ＜９０°）である。
【００４５】
＜物品の梱包＞
次に、梱包用緩衝材Ｘを組立てて物品（商品）を梱包する要領について、図１乃至図５、及び図１１乃至図１８を参照して説明する。
なお、図１１乃至図１８において、図１乃至図１０と同一符号は、同一部材、同一構成であるので、その詳細な説明は省略する。
【００４６】
図１乃至図４において、梱包用緩衝材Ｘは、各底平板部８，８、及び各側平板６，６の各第１保形側平板部１６，１６を、各第２折曲直線Ｌ２，Ｌ２及び各第４折曲直線Ｌ４，Ｌ４に沿って、積載平板部７の表面７Ａ側に折曲げる。
各底平板部８，８及び第１保形側平板部１６，１６を積載平板部７の表面７Ａ側に折曲げると、押えシート２は、横方向Ｙに緩んで配置される。
これにより、押えシート２を積載平板部７から離間することで、押えシート２のシート横縁端２Ｂ，２Ｂ及び積載平板部７の間を開いて、側平板６の立上げ側平板部１５（第１折曲直線Ｌ１）側から物品Ｚ（商品）を挿入する（図１１参照）。
このとき、物品Ｚ（商品）は、積載平板部７及び押えシート２の間に配置され、積載平板部７の表面７Ａに積載される。押えシート２は、積載平板部７の表面７Ａに積載された物品Ｚ（商品）を被覆する。
【００４７】
図１３乃至図１８において、基平板５は、積載平板部７と、各第２折曲直線Ｌ２，Ｌ２に沿って積載平板部７の裏面７Ｂに折返され、及び各第３折曲直線Ｌ３，Ｌ３に沿って折曲げられて山形に形成された一対の底平板部８，８で構成される。
各底平板部８，８は、図１乃至図３、及び図１２に示すように、各第２折曲直線Ｌ２，Ｌ２に沿って積載平板部７の裏面８Ｂに折返され、及び各第３折曲直線Ｌ３，Ｌ３に沿って折曲げられて、山形（山形状）に形成される。各底平板部８，８の裏面８Ｂは、各第２折返直線Ｌ２，Ｌ２に沿った折返しにより、積載平板部７の裏面７Ｂに対向される。
各底平板部８，８は、図１４乃至図１８に示すように、基平板５（各底平板部８，８）の各縦縁端３，３（横縁端面）を積載平板部７の裏面７Ｂに当接し、及び基平板５（各底平板部８，８）の各横縁端３，３を相互に当接して、山形（山形状）に形成される。
このとき、第２板幅Ｈ２及び第３板幅Ｈ３を同一の板幅Ｈ２＝Ｈ３とし、及び板幅Ｈ５＝Ｈ２＋Ｈ３を第１板幅Ｈ１より大きい板幅Ｈ５＞Ｈ１にすると、各底平板部８，８は、基平板５の各縦縁端３，３（縦縁端面）を縦中心線ｂに沿って積載平板部７の裏面７Ｂに当接し、及び基平板５の各縦縁端３，３を縦中心線ａにて相互に当接して、山形（山形状）に形成される。
これにより、各底平板部８，８は、横方向Ｙに連続して、２つの同形の山形を形成する。
また、同形の山形に形成された各底平板部８，８において、山形頂点部分１９，１９となる第３折曲直線Ｌ３，Ｌ３は、図１４乃至図１６に示すように、縦方向Ｖにおいて、積載平板部７の裏面７Ｂから距離Ｒ（底上げ距離Ｒ）を隔てて、及び積載平板部７の裏面７Ｂに平行する同一平面Ｗ上に配置される。なお、底上げ距離Ｒとは、図１７に示すように、積載平板部７の裏面７Ｂに直交する垂線ＬＸ、及び山形（山形状）に形成された各底平板部８，８の第３折曲直線Ｌ３，Ｌ３（山形頂点部分１９，１９）の交点ＰＸとし、垂線ＬＸ及び積載平板部７の裏面７Ｂの交点ＰＹとすると、各交点ＰＸ，ＰＹの間の距離である。
更に、同形の山形（同一形状）に形成された各底平板部８，８は、縦方向Ｖにおいて、積載平板部７の各第１折曲直線Ｌ１，Ｌ１の間にわたって配置される。
なお、各底平板部８，８及び積載平板部７は、図１４乃至図１７に示すように、横方向Ｙの断面を二等辺三角形とし、縦方向Ｖに延在する２つの中空三角柱を形成する。
【００４８】
押えシート２は、図１３、図１５乃至図１７に示すように、各第２折曲直線Ｌ２，Ｌ２に沿った各底平板部８，８の折返し、及び各第３折曲直線Ｌ３，Ｌ３に沿った各底平板部８，８の折曲げにより、緊張して物品Ｚ（商品）を積載平板部７に定着する。
このとき、押えシート２は、各底板部８，８と共に、各第２折曲直線Ｌ２，Ｌ２に沿って折返され、及び各第３折曲直線Ｌ３，Ｌ３に沿って折曲げられる。
これより、押えシート２は、横方向Ｙにおいて、積載平板部７及び各底平板部８，８に沿って引張られ、物品Ｚ（商品）を積載平板部７に定着する。
【００４９】
図１乃至図４、及び図１３乃至図１８において、各側平板６，６は、各第１折曲直線Ｌ１，Ｌ１に沿って積載平板部７の表面７Ａ側に折曲げられ、積載平板部７に起立する立上げ側平板部１５と、各第１折曲直線Ｌ１，Ｌ１及び各第４折曲直線Ｌ４，Ｌ４に沿って立上げ側平板部１５の裏面１５Ｂに折返される一対の第１保形側平板部１６，１６と、各第１折曲直線Ｌ１，Ｌ１及び各第５折曲直線Ｌ５，Ｌ５に沿って各第１保形側平板部１６，１６の裏面１６Ｂに折返される一対の第２保形側平板部１７，１７で構成される。
【００５０】
各側平板６，６において、立上げ側平板部１５は、図１３乃至図１７に示すように、各第１交点Ｐ１，Ｐ１間に位置する各第１折曲直線Ｌ１，Ｌ１に沿って積載平板部７の表面７Ａ側に折曲げられ、積載平板部７に起立される（立設される）。各側平板６，６の立上げ側平板１５，１５は、例えば、積載平板部７と直交して起立される（立設される）。
【００５１】
各側平板６，６において、各第１保形側平板部１６，１６は、図１３乃至図１８に示すように、各第１交点Ｐ１，Ｐ１及び各第２交点Ｐ２，Ｐ２の間（各第２折曲直線Ｌ２，Ｌ２及び各第３折曲直線Ｌ３，Ｌ３の間）に位置する各第１折曲直線Ｌ１，Ｌ１、各第４折曲直線Ｌ４，Ｌ４、及び各第５折曲直線Ｌ５，Ｌ５に沿って、起立した各立上げ側平板部１５の裏面１５Ｂに折返される。
このとき、各第１保形側平板部１６，１６は、縦方向Ｖにおいて、起立された各立上げ側平板部１５，１５に並設され、及び立上げ側平板部１５により積載平板部７に対して起立される（立設される）。
また、各第１保形側平板部１６，１６の折返しにより、各第１保形側平板部１６，１６の裏面１６Ｂは、起立された立上げ側平板部１５の裏面１５Ｂに対向して配置される。
更に、各第１折曲直線Ｌ１，Ｌ１及び各第４折曲直線Ｌ４，Ｌ４に沿って各折曲用穴１８，１８を形成しているので、各第１保形側平板部１６，１６は、容易且つ確実に、起立された各立上げ側平板部１５，１５の裏面１５Ｂに折返すことができる。
【００５２】
各側平板６，６において、各第２保形側平板部１７，１７は、図１３乃至図１８に示すように、各第２交点Ｐ２，Ｐ２及び各第３交点Ｐ３，Ｐ３の間（各第３折曲直線Ｌ３，Ｌ３及び基平板５の各縦縁端３，３の間）に位置する各第１折曲直線Ｌ１，Ｌ１、及び各第５折曲直線Ｌ５，Ｌ５に沿って各第１保形側平板部１６，１６の裏面１６Ｂに折返される。
このとき、各第２保形側平板部１７，１７は、積載平板部７の裏面７Ｂ側に位置して、縦方向Ｖにおいて、起立された各立上げ側平板部１５，１５及び折返された各第１保形側平板部１６，１６に並設される。各第２保形側平板部１７，１７は、起立された各立上げ側平板部１５及び折返された各第１保形側平板部１６，１６により積載平板部７に対して起立される（立設される）。
また、各第２保形側平板部１７，１７の折返しにより、各第２保形側平板部１７，１７の裏面１７Ｂは、折返された各第１保形側平板部１６，１６の裏面１６Ｂに対向して配置される。
更に、第１鋭角度θ１を第２鋭角度θ２の半分の角度とすると、各立上げ側平板部１５の裏面１５Ｂに折返された各第１保形側平板部１６，１６、及び各第１保形側平板部１６，１６の裏面１６Ｂに折返された各第２保形側平板部１７，１７の境界線及び各折返部分２０，２０となる各第５折曲直線Ｌ５，Ｌ５は、図１４乃至図１６に示すように、積載平板部７の裏面７Ｂに対して平行に配置され、各底平板部８，８の各第３折曲直線Ｌ３，Ｌ３（各山形頂点部分１９，１９）を配置した同一平面Ｗ上に配置される。
これにより、山形に形成された各底平板部８，８の各第３折曲直線Ｌ３，Ｌ３と、各第１保形側平板部１６，１６及び各第２保形側平板部１７，１７の各折返部分２０，２０（境界線）となる各第５折曲直線Ｌ５，Ｌ５は、積載平板部７の裏面７Ｂに平行する同一平面Ｗ上に配置される（図１４乃至図１６参照）。
【００５３】
各側平板６，６において、各第１保形側平板部１６，１６を起立された立上げ側平板部１５の裏面１５Ｂに折返し、及び各第２保形側平板部１７，１７を折返された各第１保形側平板部１６，１６の裏面１６Ｂに折返すと、各第１保形側平板部１６，１６及び各第２保形側平板部１７，１７は、第２保形側平板部１７，１７に連設される各底平板部８，８の山形状を保持する。
【００５４】
各側平板６，６において、各第１保形側平板部１６，１６は、図１２に示すように、各第２曲直線Ｌ２，Ｌ２に沿った各底平板部８，８の折返しと共に、各第４折曲直線Ｌ４，Ｌ４に沿って各立上げ側平板部１５の裏面１５Ｂに折返される。各側平板６，６において、各第１保形側平板部１６，１６は、第３折曲直線Ｌ３，Ｌ３に沿った各底平板部８，８の折曲げと共に、各第１折曲直線Ｌ１，Ｌ１（各第２及び各第３折曲直線Ｌ２，Ｌ３の間に位置する各第１折曲直線Ｌ１）に沿って折曲げられる。また、各側平板６，６において、各第２保形側平板部１７，１７は、各第３折曲直線Ｌ３，Ｌ３に沿った各底平板部８，８の折曲げと共に、各第５折曲直線Ｌ５，Ｌ５、及び各第１折曲直線Ｌ１，Ｌ１（各第３折曲直線Ｌ３，Ｌ３及び基平板５の各縦縁端３，３の間に位置する各第１折曲直線Ｌ１，Ｌ１）に沿って各第１保形側平板部１６，１６の裏面１６Ｂに折返される。
折返された各第１及び各第２保形側平板部１６，１７、及び各側平板６，６の立上げ側平板部１５は、各第１折曲直線Ｌ１，Ｌ１に沿って積載平板部７の表面７Ａ側に折曲げられて、積載平板部７に起立される（立設される）。
このとき、人の手で起立された各側平板６，６（立上げ側平板部１５、各第１保形側平板部１６，及び各第２保形側平板部１７，１７）を把持している間は、各底平板部８，８の山形（山形状）が保持され、各底平板部８，８の第３折曲直線Ｌ３，Ｌ３の山形頂点部分１９，１９と、各第１及び各第２保形側平板部１６，１７の境界線となる各第５折曲直線Ｌ５，Ｌ５の折返部分２０，２０は、同一平面Ｗ上に配置される。
【００５５】
各側平板６，６において、各縦縁端９，９（縦縁端面）は、図４に示すように、基平板５の各縦縁端３，３（縦縁端面）に対して、第３鋭角度θ３をなして配置される。これにより、各第１保形側平板部１６，１６を起立された立上げ側平板部１５の裏面１５Ｂに折返しても、各第１保形側平板部１６，１６は、図１４に示すように、相互に重なることなく、立上げ側平板部１５に並設される。
第３鋭角度θ３は、各側平板６，６の各第１保形側平板部１６，１６を折返した際に、各第１保形側平板部１６，１６が相互に重ならないような角度を選択（設定）する。例えば、第３鋭角度θ３を第２鋭角度θ２と同一の角度（θ３＝θ２）とすると、各立上げ側平板部１５，１５の裏面１５Ｂに折返えされた各第１保形平板部１６，１６は、図１４に示すように、相互に重なることなく、各側平板６，６の各縦縁端９，９を平行にして配置する。
【００５６】
各側平板６，６において、横縁端１０（横縁端面）を、各第１傾斜横縁端１０Ａ，１０Ａ、平行横縁端１０Ｂ及び各第２傾斜横縁端１０Ｃ，１０Ｃで構成することにより、各第１保形側平板部１６，１６を起立された立上げ側平板部１５の裏面１５Ｂに折返しても、各第１傾斜横縁端１０Ａ，１０Ａは、図１４乃至図１６に示すように、起立された立上げ側平板部１５の平行横縁端１０Ｂより積載平板部７側（各底平板部８側）に配置される。
このとき、第１傾斜横縁端１０Ａ，１０Ａは、図１４に示すように、起立された各立上げ側平板部１５の平行横縁１０Ｂに平行に配置される。
第４及び第５鋭角度θ４，θ５は、各側平板６，６の各第１保形側平板部１６，１６を折返した際に、各第１保形側平板部１６，１６の第１傾斜横縁端１０Ａ，１０Ａが起立された立上げ側平板部１５の平行横縁端１０Ｂより積載平板部７側に配置されるような角度を選択（設定）する。例えば、第４鋭角度θ４を第１鋭角度θ１の２倍の角度（θ４＝２×θ１）とし、及び第５鋭角度θ５をθ５＝θ６−２×θ１［θ６：任意の角度、θ１：第１鋭角度］とすると、各立上げ側平板部１５，１５の裏面１５Ｂに折返された各第１保形側平板部１６，１６において、各第１傾斜横縁端１０Ａ，１０Ａは、図１４に示すように、各立上げ側平板部１５，１５の平行横縁端１０Ｂより積載平板部７側（平行横縁端１０Ｂ及び積載平板部７の表面７Ａの間）に位置して、各立上げ側平板部１５，１５の平行横縁端１０Ｂに平行に配置される。
【００５７】
梱包用緩衝材Ｘにおいて、第１鋭角度θ１、第２鋭角度θ２、第１乃至第３板幅Ｌ１，Ｌ２，Ｌ３の関係は、図２及び図１７に示すように、第１鋭角度θ１を第２鋭角度θ２の半分の角度［θ１＝（１／２）×θ２］、第２板幅Ｈ２及び第３板幅Ｈを同一の板幅Ｈ２＝Ｈ３、板幅Ｈ５＝Ｈ２＋Ｈ３を第１板幅Ｈ１より大きい板幅Ｈ５＞Ｈ１、及び底上げ距離Ｒとすると、以下のようになる。
先ず、山形（山形状）に形成された各底平板部８，８において、各第２折曲直線Ｌ２，Ｌ２及び各第３折曲直線Ｌ３，Ｌ３の間に位置する各第１折曲直線Ｌ１，Ｌ１と、積載平板部７（裏面７Ｂ）でなす角度は、第２鋭角度θ２となる（図１７参照）。
これにより、第２鋭角度θ１、第１板幅Ｈ１、第２板幅Ｈ２及び底上げ距離Ｒとの間において、式（１）及び式（２）が成り立つ。
【００５８】
【数１】
2018034874.tif 000003
【００５９】
式（１）及び式（２）において、底上げ距離Ｒと、第１板幅Ｈ１を任意の数値に設定すると、第２鋭角度θ２、及び第２板幅Ｈ３（第３板幅Ｈ３＝Ｈ２）を決定できる。
そして、第２鋭角度θ２が決まれば、第１鋭角度θ１［θ１＝（１／２）×θ１］も決定できる。
第１鋭角度θ１、第２鋭角度θ２、第２板幅Ｈ２及び第３板幅Ｈ３は、第１板幅Ｈ１及び底上げ距離Ｒに依存し、第１板幅Ｈ１及び底上げ距離Ｒを任意の数値に設定すれば、式（１）及び式（２）より決定できる。
【００６０】
物品Ｚ（商品）を梱包して組立てられた梱包用緩衝材Ｘ（以下、「物品Ｚ（商品）を梱包した梱包用緩衝材Ｘ」という）は、運送する際に、図１９乃至図２１に示すように、直方体の梱包箱Ｂ内に収納される。
物品Ｚ（商品）を梱包した梱包用緩衝材Ｘは、図１９乃至図２１に示すように、山形に形成された各底平板部８，８から梱包箱Ｂ内に収納され、山形に形成された各底平板部８，８の各第３折曲直線Ｌ３，Ｌ３（各山形頂点部分１９，１９）を梱包箱Ｂの底平板５１上に当接する。また、折返された各第１保形側平板部１６，１６、及び折返された各第２保形側平板部１７，１７の境界線となる各第５折曲直線Ｌ５，Ｌ５（各折返部分２０，２０）を梱包箱Ｂの底平板５１に当接して、物品Ｚ（商品）を梱包した梱包用緩衝材Ｘを梱包箱Ｂの底平板５１に載置して収納する。
【００６１】
また、物品Ｚ（商品）を梱包した梱包用緩衝材Ｘは、図１９乃至図２１に示すように、折返された各第１保形側平板部１６，１６を梱包箱Ｂの側平板５２，５２に当接して、梱包箱Ｂに収納される。
そして、梱包箱Ｂに蓋平板５３を閉じて、蓋平板５３を折返された各立上げ側平板部１５，１５（水平横縁端１０Ｂ）に当接して運送する。
このとき、物品Ｚ（商品）を梱包した梱包用緩衝材Ｘは、各第１保形側平板部１６，１６を梱包箱Ｂの各側平板５２，５２に当接するので、梱包用緩衝材Ｘの組立ては開放されず、各第１保形側平板部１６，１６及び各第２保形側平板部１７，１７は、各底平板部８，８の山形状を保持する。
【００６２】
このように、梱包用緩衝材Ｘは、横方向Ｙに連続し、基平板５（各底平板部８，８）の各縦縁端３，３を積載平板部７の裏面７Ｂに当接し、及び各縦縁端３，３を相互に当接した山形（山形状）の底平板部８，８（各第３折曲直線Ｌ３，Ｌ３の各山形頂点部分１９，１９）、及び各第１及び各第２保形側平板部１６，１７の境界となる各第５折曲直線Ｌ５，Ｌ５の折返部分２０，２０により、積載平板部７の表面７Ａに積載した物品Ｚ（商品）を支持するので、物品Ｚ（商品）の重量により積載平板部７が各底平板部８，８側に沈まない。
これにより、物品Ｚ（商品）を梱包した梱包用緩衝材Ｘを、図１９乃至図２１で説明したと同様に、梱包箱Ｂに収納して、運送（運搬）しても、物品Ｚ（商品）の重量により、積載平板部７が梱包箱Ｂの底平板５１に接触しないので、緩衝機能に優れたものとなる。
【００６３】
梱包用緩衝材Ｘでは、第１乃至第５折曲直線Ｌ１〜Ｌ５は、ミシン目加工した直線であっても良い。
梱包用緩衝材Ｘでは、折曲用穴１８を形成しない構成であっても良い。
【００６４】
梱包用緩衝材Ｘでは、第１鋭角度θ１と、第２鋭角度θ２の関係について、θ１＝（１／２）×θ２［第１鋭角度θ１を、第２鋭角度θ２の半分の角度］とする構成について説明したが、これに限定されない。
例えば、第１鋭角度θ１＝（１／ｎ）×θ２［但し、ｎ：２以上の任意の数値］として、山形に形成される各底平板部８，８の第３折曲直線Ｌ３，Ｌ３（各山形頂点部分１９，１９）と、各第１及び各第２保形側平板部１６，１７の境界となる各第５折曲直線Ｌ５，Ｌ５（各折返部分２０，２０）を、積載平板部７の裏面７Ｂに平行する同一平板Ｗ上に配置する構成も採用できる。
【産業上の利用可能性】
【００６５】
本発明は、物品（商品）を梱包して運送（運搬）するのに最適である。
【符号の説明】
【００６６】
Ｘ  梱包用緩衝材
１  基礎平板体
２  押えシート
３  基平板の縦縁端（縦縁端面）
５  基平板
６  側平板
７  積載平板部
８  底平板部
９  側平板の縦縁端（縦縁端面）
１０  側平板の横縁端（横縁端面）
１５  立上げ側平板部
１６  第１保形側平板部
１７  第２保形側平板部
Ｌ１  第１折曲直線
Ｌ２  第２折曲直線
Ｌ３  第３折曲直線
Ｌ４  第４折曲直線（縦折曲傾斜直線）
Ｌ５  第５折曲直線（横折曲傾斜直線）
Ｐ１  第１交点
Ｐ２  第２交点
【図１】
2018034874.tif 000004
【図２】
2018034874.tif 000005
【図３】
2018034874.tif 000006
【図４】
2018034874.tif 000007
【図５】
2018034874.tif 000008
【図６】
2018034874.tif 000009
【図７】
2018034874.tif 000010
【図８】
2018034874.tif 000011
【図９】
2018034874.tif 000012
【図１０】
2018034874.tif 000013
【図１１】
2018034874.tif 000014
【図１２】
2018034874.tif 000015
【図１３】
2018034874.tif 000016
【図１４】
2018034874.tif 000017
【図１５】
2018034874.tif 000018
【図１６】
2018034874.tif 000019
【図１７】
2018034874.tif 000020
【図１８】
2018034874.tif 000021
【図１９】
2018034874.tif 000022
【図２０】
2018034874.tif 000023
【図２１】
2018034874.tif 000024